(57)【要約】あかすりタオル（１）と、すり板と、を含むファンシーなあかすりマシーンであって、当該すり板は、すり板Ａ（３）と、すり板Ｂ（５）と、を含み、あかすりマシーンの使用中において、あかすりタオル（１）がすり板Ａ（３）を覆い、すり板Ａ（３）の一端がすり板Ｂ（５）の一端にヒンジで連結され、あかすりマシーンの使用中において、すり板Ａ（３）とすり板Ｂ（５）が閉鎖し、すり板Ｂ（５）の閉鎖面の背面には、少なくとも１つのコネクタが設けられ、コネクタと接続フレーム（１０）が接続され、接続フレーム（１０）の末端はベアリングを介して電源ボックス（２４）と接続し、電源ボックス（２４）はトランスミッションシステムを介して接続フレーム（１０）を駆動して転動させ、トランスミッションシステムは電源ボックス（２４）内に設けられる。本発明は、構成が簡単で、操作が簡単であり、あかすりの時、接続フレームが電源ボックスの作用下で往復運動を行い、すり板を駆動して往復運動を行うことを実現し、すり板は、人体の背部の人体工程学によって、スプリングの伸縮原理を利用することができ、すり板は、こすりの時人体に対して痛みと傷つきを引き起こすことがなく、あかすりマシーンは上下左右の全範囲において人体の背部をこすることができる。【選択図】図１
2021532966.tif 000002
【特許請求の範囲】
【請求項１】
あかすりタオル（１）と、すり板と、を含むファンシーなあかすりマシーンであって、
前記すり板は、すり板Ａ（３）と、すり板Ｂ（５）と、を含み、あかすりマシーンの使用中において、あかすりタオル（１）がすり板Ａ（３）を覆い、すり板Ａ（３）の一端がすり板Ｂ（５）の一端にヒンジで連結され、あかすりマシーンの使用中において、すり板Ａ（３）とすり板Ｂ（５）が閉鎖し、すり板Ｂ（５）の閉鎖面の背面には、少なくとも１つのコネクタが設けられ、コネクタと接続フレーム（１０）が接続され、接続フレーム（１０）の末端はベアリングを介して電源ボックス（２４）と接続し、電源ボックス（２４）はトランスミッションシステムを介して接続フレーム（１０）を駆動して転動させる、ことを特徴とするファンシーなあかすりマシーン。
【請求項２】
前記すり板Ｂ（５）の閉鎖面の背面の中央位置には、１つのヒンジＡ（７）が設けられ、すり板Ｂ（５）の閉鎖面の背面には、ヒンジＡ（７）を対称点とする両点に、それぞれ１つの中空管（８）が設けられ、前記接続フレーム（１０）には、ヒンジＡ（７）とヒンジで連結される１つのヒンジＢ（１１）が設けられ，接続フレーム（１０）には、中空管（８）と接続される２つの接続軸（１２）が設けられ、接続軸（１２）が中空管（８）内に挿入される、ことを特徴とする請求項１に記載のファンシーなあかすりマシーン。
【請求項３】
前記中空管（８）内にはスプリング（９）が設けられている、ことを特徴とする請求項２に記載のファンシーなあかすりマシーン。
【請求項４】
前記ベアリングは、ベアリングＡ（１３）と、ベアリングＢ（１４）と、を含み、前記トランスミッションシステムは、歯車Ａ（１５）と、歯車Ｂ（１６）と、歯車Ｃ（１７）と、歯車ベアリングＡ（１８）と、歯車ベアリングＢ（１９）と、モーターと、を含み、歯車Ａ（１５）には孔Ａ（２０）が設けられ、歯車Ｂ（１６）には孔Ｂ（２１）が設けられ、ベアリングＡ（１３）が孔Ａ（２０）に固定に接続され、ベアリングＢ（１４）が孔Ｂ（２１）に固定に接続され、歯車Ａ（１５）が歯車ベアリングＡ（１８）に設けられ、歯車Ｂ（１６）が歯車ベアリングＢ（１９）に設けられ、孔Ａ（２０）の中心点から孔Ｂ（２１）の中心点までの距離が歯車Ａ（１５）の円心から歯車Ｂ（１６）の円心までの距離と等しく、歯車Ａ（１５）と歯車Ｃ（１７）がかみ合い、歯車Ｂ（１６）と歯車Ｃ（１７）がかみ合い、歯車Ｃ（１７）がモーターの出力軸とつながる、ことを特徴とする請求項１に記載のファンシーなあかすりマシーン。
【請求項５】
前記ベアリングは、ベアリングＡ（１３）と、ベアリングＢ（１４）と、を含み、前記トランスミッションシステムは、歯車Ａ（１５）と、歯なしフリーホイール（２２）と、歯車Ｃ（１７）と、歯車ベアリングＡ（１８）と、歯車ベアリングＢ（１９）と、ストールホイール（２３）と、モーターと、を含み、歯車Ａ（１５）には孔Ａ（２０）が設けられ、歯なしフリーホイール（２２）には孔Ｂ（２１）が設けられ、ベアリングＡ（１３）が孔Ａ（２０）に固定に接続され、ベアリングＢ（１４）が孔Ｂ（２１）に固定に接続され、歯車Ａ（１５）が歯車ベアリングＡ（１８）に設けられ、歯なしフリーホイール（２２）が歯車ベアリングＢ（１９）に設けられ、孔Ａ（２０）の中心点から孔Ｂ（２１）の中心点までの距離が歯車Ａ（１５）の円心から歯なしフリーホイール（２２）の円心までの距離と等しく、歯車Ａ（１５）と歯車Ｃ（１７）がかみ合い、歯車Ｃ（１７）がモーターの出力軸とつながり、歯なしフリーホイール（２２）がストールホイール（２３）と接触する、ことを特徴とする請求項１に記載のファンシーなあかすりマシーン。
【請求項６】
前記すり板Ａ（３）の閉鎖面は凹溝タイプに設けられ、すり板Ａ（３）のヒンジで連結される端部の他端には止め輪（４）が設けられ、すり板Ｂ（５）の閉鎖面は凸溝タイプに設けられ、すり板Ａ（３）の凹溝とすり板Ｂ（５）の凸溝はほぞ継ぎ構成である、ことを特徴とする請求項１に記載のファンシーなあかすりマシーン。
【請求項７】
前記あかすりタオル（１）は弾性を有する筒状であり、両端が開口し、両端にはストラップ（２）が設けられている、ことを特徴とする請求項１に記載のファンシーなあかすりマシーン。
【請求項８】
前記すり板Ｂ（５）にはフック（６）が設けられている、ことを特徴とする請求項１に記載のファンシーなあかすりマシーン。
【請求項９】
前記すり板Ａ（３）は半円柱に設けられる、ことを特徴とする請求項１に記載のファンシーなあかすりマシーン。
【発明の詳細な説明】
【技術分野】
【０００１】
本発明は、あかすりマシーンの分野に関し、特に、ファンシーなあかすりマシーンの分野に関する。
【背景技術】
【０００２】
人民の生活水準の絶え間ない向上に従って、入浴は人々の生活において必須なことになっており、さらにあかすりは入浴の肝心となっており、あかすりは体を清潔にするだけではなく、マッサージの役割も果たし、体をリラックスさせる。伝統のあかすりはあかすりタオル又はタオルを使用してこすり、人類の体の構成の局限性のため、個人のあかすりの時に背部をこすりにくい。現在、市場にはいろんな種類のあかすりマシーンが存在し、人類の背部をこする機能を実現することができるが、これらのあかすりマシーンはいずれも欠点が存在し、機械式のあかすりマシーンは軸線に沿って回転することしかできなく、人の背部をあかすりマシーンに適応させ、それに、あかすりマシーンの回転速度は一定であり、人のあかすりの時痛みの感覚を感じさせやすく、人の使用に不便を与え、一部のあかすりマシーンは上下にこするかまたは左右にこすることしかできなく、いずれも正常な人のように不規則な軌跡でこすることができない。
【発明の概要】
【発明が解決しようとする課題】
【０００３】
上記した従来の技術において、あかすりマシーンが普通の人類のように不規則な軌跡でこすりを行うことができないという技術的問題について、本発明は、人々のあかすりの要求を満たし、あかすりマシーンを普通の人類のように不規則な軌跡でこすりを行うことができるようにすることを目的とする、ファンシーなあかすりマシーンを提供する。
【課題を解決するための手段】
【０００４】
本発明の目的は、以下の技術案を採用して完成する。ファンシーなあかすりマシーンは、あかすりタオルと、すり板と、を含み、前記すり板は、すり板Ａと、すり板Ｂと、を含み、あかすりマシーンの使用中において、あかすりタオルがすり板Ａを覆い、すり板Ａの一端がすり板Ｂの一端にヒンジで連結され、あかすりマシーンの使用中において、すり板Ａとすり板Ｂが閉鎖し、すり板Ｂの閉鎖面の背面には、少なくとも１つのコネクタが設けられ、コネクタと接続フレームが接続され、接続フレームの末端はベアリングを介して電源ボックスと接続し、電源ボックスはトランスミッションシステムを介して接続フレームを駆動して転動させる。
【０００５】
好ましくは、前記すり板Ｂの閉鎖面の背面の中央位置には、１つのヒンジＡが設けられ、すり板Ｂの閉鎖面の背面には、ヒンジＡを対称点とする両点に、それぞれ１つの中空管が設けられ、前記接続フレームには、ヒンジＡとヒンジで連結される１つのヒンジＢが設けられ、接続フレームには、中空管と接続される２つの接続軸が設けられ、接続軸が中空管内に挿入される。
【０００６】
好ましくは、前記中空管内にはスプリングが設けられている。
【０００７】
好ましくは、前記ベアリングは、ベアリングＡと、ベアリングＢと、を含み、トランスミッションシステムは、歯車Ａと、歯車Ｂと、歯車Ｃと、歯車ベアリングＡと、歯車ベアリングＢと、モーターと、を含み、歯車Ａには孔Ａが設けられ、歯車Ｂには孔Ｂが設けられ、ベアリングＡが孔Ａに固定に接続され、ベアリングＢが孔Ｂに固定に接続され、歯車Ａが歯車ベアリングＡに設けられ、歯車Ｂが歯車ベアリングＢに設けられ、孔Ａの中心点から孔Ｂの中心点までの距離が歯車Ａの円心から歯車Ｂの円心までの距離と等しく、歯車Ａと歯車Ｃがかみ合い、歯車Ｂと歯車Ｃがかみ合い、歯車Ｃがモーターの出力軸とつながる。
【０００８】
好ましくは、前記ベアリングは、ベアリングＡと、ベアリングＢと、を含み、トランスミッションシステムは、歯車Ａと、歯なしフリーホイールと、歯車Ｃと、歯車ベアリングＡと、歯車ベアリングＢと、ストールホイールと、モーターと、を含み、歯車Ａには孔Ａが設けられ、歯なしフリーホイールには孔Ｂが設けられ、ベアリングＡが孔Ａに固定に接続され、ベアリングＢが孔Ｂに固定に接続され、歯車Ａが歯車ベアリングＡに設けられ、歯なしフリーホイールが歯車ベアリングＢに設けられ、孔Ａの中心点から孔Ｂの中心点までの距離が歯車Ａの円心から歯なしフリーホイールの円心までの距離と等しく、歯車Ａと歯車Ｃがかみ合い、歯車Ｃがモーターの出力軸とつながり，歯なしフリーホイールがストールホイールと接触する。
【０００９】
好ましくは、前記すり板Ａの閉鎖面は凹溝タイプに設けられ、すり板Ａのヒンジで連結される端部の他端には止め輪が設けられ、すり板Ｂの閉鎖面は凸溝タイプに設けられ、すり板Ａの凹溝とすり板Ｂの凸溝はほぞ継ぎ構成である。
【００１０】
好ましくは、前記あかすりタオルは弾性を有する筒状であり、両端が開口し、両端にはストラップが設けられている。
【００１１】
好ましくは、前記すり板Ｂにはフックが設けられている。
【００１２】
好ましくは、前記すり板Ａは半円柱に設けられる。
【発明の効果】
【００１３】
本発明の有益な効果は以下のようである。従来の技術と比べ、本発明のあかすりマシーンは構成が簡単で、操作が簡単であり、トランスミッションシステムにおいて、モーターを通電させ、モーターが歯車を駆動して転動させ、歯車の転動より接続フレームを駆動して転動させ、接続フレームは歯車に従って往復運動を行い、接続フレームはすり板を駆動して往復運動を行い、すり板にはスプリング装置が設けられ、すり板は、あかすりの時、人体の背部の不均一な面に従って傾斜を引き起こすことができ、背部のこすりの時、あかすりマシーンの作業面が人体の背部の不均一な人体工程学に一致し、あかすりタオルを人の背部において往復にこすることができるようにし、上下左右の全部をこすることができる。
【図面の簡単な説明】
【００１４】
【図１】本発明の実施例の部分構成模式図である。
【００１５】
【図２】本発明の実施例の全体構成模式図である。
【００１６】
【図３】本発明のもう１つの実施例の全体構成模式図である。
【発明を実施するための形態】
【００１７】
以下の図面を参照しながら、本発明の技術案をさらに詳細に説明する。
【００１８】
図１、図２、図３に示すように、ファンシーなあかすりマシーンは、あかすりタオル１と、すり板と、を含み、すり板は、すり板Ａ３と、すり板Ｂ５と、を含み、あかすりマシーンの使用中において、あかすりタオル１がすり板Ａ３を覆い、すり板Ａ３の一端がすり板Ｂ５の一端にヒンジで連結され、あかすりマシーンの使用中において、すり板Ａ３とすり板Ｂ５が閉鎖し、すり板Ｂ５の閉鎖面の背面には、少なくとも１つのコネクタが設けられ、コネクタと接続フレーム１０が接続され、接続フレーム１０の末端はベアリングを介して電源ボックス２４と接続し、電源ボックス２４はトランスミッションシステムを介して接続フレーム１０を駆動して転動させる。
【００１９】
さらに、すり板Ｂ５の閉鎖面の背面の中央位置には、１つのヒンジＡ７が設けられ、すり板Ｂ５の閉鎖面の背面には、ヒンジＡ７を対称点とする両点に、それぞれ１つの中空管８が設けられ、接続フレーム１０には、ヒンジＡ７とヒンジで連結される１つのヒンジＢ１１が設けられ、接続フレーム１０には、中空管８と接続される２つの接続軸１２が設けられ、接続軸１２が中空管８内に挿入される。
【００２０】
さらに、中空管８内にはスプリング９が設けられている。
【００２１】
さらに、ベアリングは、ベアリングＡ１３と、ベアリングＢ１４と、を含み、トランスミッションシステムは、歯車Ａ１５と、歯車Ｂ１６と、歯車Ｃ１７と、歯車ベアリングＡ１８と、歯車ベアリングＢ１９と、モーターと、を含み、歯車Ａ１５には孔Ａ２０が設けられ、歯車Ｂ１６には孔Ｂ２１が設けられ、ベアリングＡ１３が孔Ａ２０に固定に接続され、ベアリングＢ１４が孔Ｂ２１に固定に接続され、歯車Ａ１５が歯車ベアリングＡ１８に設けられ、歯車Ｂ１６が歯車ベアリングＢ１９に設けられ、孔Ａ２０の中心点から孔Ｂ２１の中心点までの距離が歯車Ａ１５の円心から歯車Ｂ１６の円心までの距離と等しく、歯車Ａ１５と歯車Ｃ１７がかみ合い、歯車Ｂ１６と歯車Ｃ１７がかみ合い、歯車Ｃ１７がモーターの出力軸とつながる。
【００２２】
さらに、ベアリングは、ベアリングＡ１３と、ベアリングＢ１４と、を含み、トランスミッションシステムは、歯車Ａ１５と、歯なしフリーホイール２２と、歯車Ｃ１７と、歯車ベアリングＡ１８と、歯車ベアリングＢ１９と、ストールホイール２３と、モーターと、を含み、歯車Ａ１５には孔Ａ２０が設けられ、歯なしフリーホイール２２には孔Ｂ２１が設けられ、ベアリングＡ１３が孔Ａ２０に固定に接続され、ベアリングＢ１４が孔Ｂ２１に固定に接続され、歯車Ａ１５が歯車ベアリングＡ１８に設けられ、歯なしフリーホイール２２が歯車ベアリングＢ１９に設けられ、孔Ａ２０の中心点から孔Ｂ２１の中心点までの距離が歯車Ａ１５の円心から歯なしフリーホイール２２の円心までの距離と等しく、歯車Ａ１５と歯車Ｃ１７がかみ合い、歯車Ｃ１７がモーターの出力軸とつながり，歯なしフリーホイール２２がストールホイール２３と接触する。
【００２３】
さらに、すり板Ａ３の閉鎖面は凹溝タイプに設けられ、すり板Ａ３のヒンジで連結される端部の他端には止め輪４が設けられ、すり板Ｂ５の閉鎖面は凸溝タイプに設けられ、すり板Ａ３の凹溝とすり板Ｂ５の凸溝はほぞ継ぎ構成である。
【００２４】
さらに、あかすりタオル１は弾性を有する筒状であり、両端が開口し、両端にはストラップ２が設けられている。
【００２５】
さらに、すり板Ｂ５にはフック６が設けられている。
【００２６】
さらに、すり板Ａ３は半円柱に設けられる。
【００２７】
本発明の作業形態は以下のようである。図１、図２に示すように、あかすりマシーンの使用時、あかすりタオル１をすり板Ａ３に覆い、すり板Ａ３がすり板Ｂ５の一端にヒンジで連結され、すり板Ａ３のヒンジで連結される端部の他端には止め輪４が設けられ、止め輪４を利用してすり板Ａ３をすり板Ｂ５に組み合わせ、すり板Ａ３の凹溝とすり板Ｂ５の凸溝を組み合わせ、すり板Ａ３とすり板Ｂ５を組み合わせてあかすりに用いることができるすり板とし、あかすりタオル１のストラップ２をすり板Ｂ５のフック６に掛けられ、あかすりタオル１をすり板に固定させ、すり板はヒンジＡ７と中空管８を介して接続フレーム１０と接続し、接続フレーム１０はベアリングＡ１３とベアリングＢ１４を介して電源ボックス２４と接続し、電源ボックス２４はトランスミッションシステムを介して接続フレーム１０を駆動して転動させ、トランスミッションシステムにおいて、モーターを通電させ、モーターは歯車Ｃ１７を駆動して転動させ、歯車Ｃ１７はそれぞれ歯車Ａ１５と、歯車Ｂ１６とかみ合い、歯車Ｃ１７は歯車Ａ１５と歯車Ｂ１６を駆動して転動させ、歯車Ａ１５と歯車Ｂ１６は同じ方向へ転動し、接続フレーム１０を駆動して転動させ、すり板は全体的に接続フレーム１０に従って往復運動を行い、すり板Ｂ５の中空管８内にはスプリング９が設けられ、あかすりの過程において、すり板が背部の不均一な個所で運動する時、スプリング９の伸縮性を利用して、すり板を不均一な背部で運動させ、背部の曲線に従って、スプリング９が伸長と圧縮し、すり板を人体の背部において順調に行わせ、すり板が上上下下の運動を行い、人の背部にまで完全にこする。
【００２８】
図３に示すように、トランスミッションシステムにおいて、モーターを通電させ、モーターは歯車Ｃ１７を駆動して転動させ、歯車Ｃ１７は歯車Ａ１５とかみ合い、歯車Ｃ１７は歯車Ａ１５を駆動して転動させ、歯車Ａ１５は接続フレーム１０を駆動して転動させ、接続フレーム１０は歯なしフリーホイール２２を駆動して転動させ、歯なしフリーホイール２２はストールホイール２３と接触し、ストールホイール２３は歯なしフリーホイール２２へ反対の作用力を加えて、歯なしフリーホイール２２の回転方向を歯車Ａ１５と反対にさせ、接続フレーム１０は歯車Ａ１５と歯なしフリーホイール２２の作用において、接続フレーム１０は８字の往復運動を行い、すり板は全体的に接続フレーム１０に従って８字の往復運動を行い、すり板Ｂ５の中空管８内にはスプリング９が設けられ、あかすりの過程において、すり板が背部の不均一な個所で運動する時、スプリング９の伸縮性を利用して、すり板を不均一な背部で運動させ、背部の曲線に従って、プリング９が伸長と圧縮し、すり板を人体の背部において順調に行わせ、すり板が上上下下の運動を行い、人の背部にまで完全にこする。
【００２９】
以上は、ただ本発明の好ましい実施形態であり、本発明の技術案を限定するものではない。当業者は、本発明の技術案から離れない限り、さらなる改善と変更を行うことができ、これらの改善と変更はいずれも本発明の保護範囲内に収まれることは、いうまでもない。
【符号の説明】
【００３０】
１…あかすりタオル
２…ストラップ
３…すり板Ａ
４…止め輪
５…すり板Ｂ
６…フック
７…ヒンジＡ
８…中空管
９…スプリング
１０…接続フレーム
１１…ヒンジＢ
１２…接続軸
１３…軸Ａ
１４…軸Ｂ
１５…歯車Ａ
１６…歯車Ｂ
１７…歯車Ｃ
１８…歯車ベアリングＡ
１９…歯車ベアリングＢ
２０…孔Ａ
２１…孔Ｂ
２２…歯なしフリーホイール
２３…ストールホイール
２４…電源ボックス
【図１】
2021532966.tif 000003
【図２】
2021532966.tif 000004
【図３】
2021532966.tif 000005
【国際調査報告】
2021532966.tif 000006
2021532966.tif 000007
2021532966.tif 000008
2021532966.tif 000009